(57)【要約】【課題】制御情報の通信を行う機能を有さない映像伝送ケーブルを用いた場合でも、分割されて伝送される映像を表示部の正しい位置に表示する映像表示機器を提供する。【解決手段】本発明に係る映像表示機器９は、複数の表示エリアを有する表示部９１０と、複数の表示エリア９１０に表示される画像を示す複数の部分映像信号をそれぞれ互いに異なるタイミングで受信する複数の映像受信部９４１，９４２，９４３，９４４と、複数の部分映像信号の受信の順番と複数の表示エリアとを互いに関連付けたテーブル情報が格納された記憶部９２０と、表示部９１０の表示動作を制御する制御部９３０と、を備え、制御部９３０は、各映像受信部９４１，９４２，９４３，９４４の部分映像信号の受信の順番を検出し、テーブル情報を参照し、受信した部分映像信号を対応する表示エリア９１０に表示させる。【選択図】図９
2019161477.tif 000002
【特許請求の範囲】
【請求項１】
複数の表示エリアを有し、各表示エリアに表示された画像を組み合わせることでフレーム画像が形成される表示部と、
前記複数の表示エリアに表示される画像を示す複数の部分映像信号をそれぞれ互いに異なるタイミングで受信する複数の映像受信部と、
前記複数の部分映像信号の受信の順番と前記複数の表示エリアとを互いに関連付けたテーブル情報が予め格納された記憶部と、
前記表示部の表示動作を制御する制御部と、を備え、
前記制御部は、前記各映像受信部の前記部分映像信号の受信の順番を検出し、前記テーブル情報を参照し、検出した前記部分映像信号の受信の順番に従って、前記各映像受信部がそれぞれ受信した前記部分映像信号を対応する表示エリアに表示させる、
映像表示機器。
【請求項２】
請求項１に記載の映像表示機器において、
前記複数の表示エリアと１対１の対応関係を有し、入力された前記複数の部分映像信号を一時記憶する複数の一時記憶部と、
前記複数の映像受信部にそれぞれ接続された複数の入力部と、前記複数の一時記憶部にそれぞれ接続された複数の出力部と、を備え、各入力部と各出力部とを互いに接続する経路の変更が可能な、映像経路設定部と、
前記複数の一時記憶部に一時記憶された前記複数の部分映像信号を合成して前記フレーム画像を示す合成映像信号を生成し、該合成映像信号を表示部に出力する、映像合成部と、をさらに備え、
前記制御部は、前記部分映像信号の受信の順番に従って、前記映像経路設定部の前記経路の変更を制御する、
映像表示機器。
【請求項３】
請求項２に記載の映像表示機器において、
前記複数の部分映像信号が記憶される映像記憶部を、さらに備え、
前記制御部は、前記複数の一時記憶部に一時記憶された前記複数の部分映像信号をフレーム画像として前記映像記憶部に記憶し、該フレーム画像に対して所定の処理を施した後に、再び、前記複数の部分映像信号を前記所定の処理の前に記憶されていた前記一時記憶部に記憶させる、
映像表示機器。
【請求項４】
フレーム画像を示す映像信号を複数の部分映像信号に分割する映像源と、
前記映像源から前記複数の部分映像信号がそれぞれ入力され、入力された前記複数の部分映像信号を並列に送信する複数の映像送信部と、
前記複数の部分映像信号の送信の順番を示す送信順序情報が記憶された記憶部と、
前記記憶部に記憶された前記送信順序情報に基づき、前記複数の映像送信部が前記複数の部分映像信号を送信する順番を制御する制御部と、を備える、
映像出力機器。
【請求項５】
請求項１から３のいずれか１項に記載の映像表示機器と、
請求項４に記載の映像出力機器と、
前記映像表示機器の各映像受信部と前記映像出力機器の各映像送信部とを互いに接続する複数の映像伝送ケーブルと、を備える、
映像システム。
【請求項６】
組み合わせることでフレーム画像を示す、複数の部分映像信号映をそれぞれ互いに異なるタイミングで受信し、
前記部分映像信号の受信の順番を検出し、
前記複数の部分映像信号の受信の順番と複数の表示エリアとを互いに関連付けたテーブル情報を予め保持し、
前記複数の部分映像信号の受信の順番と前記テーブル情報とを参照し、
検出した前記部分映像信号の受信の順番に従って、前記部分映像信号を対応する前記表示エリアに表示し、該表示エリアを有する表示部に前記フレーム画像を表示する、
映像表示方法。
【請求項７】
フレーム画像を示す映像信号を複数の部分映像信号に分割し、
前記部分映像信号の送信の順番を示す送信順序情報を予め保持し、
前記送信順序情報を参照し、前記複数の部分映像信号を前記部分映像信号の送信の順番に従って異なるタイミングで並列に送信する、
映像信号送信方法。
【請求項８】
コンピュータに、
組み合わせることでフレーム画像を示す、複数の部分映像信号映をそれぞれ互いに異なるタイミングで受信するステップと、
前記部分映像信号の受信の順番を検出するステップと、
前記複数の部分映像信号の受信の順番と複数の表示エリアとを互いに関連付けたテーブル情報とを参照するステップと、
検出した前記部分映像信号の受信の順番に従って、前記部分映像信号を対応する前記表示エリアに表示するステップと、
を実行させるためのプログラム。
【請求項９】
コンピュータに、
フレーム画像を示す映像信号を複数の部分映像信号に分割するステップと、
前記部分映像信号の送信の順番を示す送信順序情報を参照し、前記複数の部分映像信号を前記部分映像信号の送信の順番に従って異なるタイミングで並列に送信するステップと、
を実行させるためのプログラム。
【発明の詳細な説明】
【技術分野】
【０００１】
本発明は、映像表示機器、映像出力機器、映像システム、映像表示方法、映像信号送信方法及びプログラムに関する。
【背景技術】
【０００２】
一般に、ディスプレイやプロジェクタなどの映像表示機器は、映像出力機器と映像伝送ケーブルで接続される。映像表示機器は、映像伝送ケーブルを介して、映像出力機器が送信した映像信号を受信する。映像伝送ケーブルとして、例えば、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ケーブルやＤＶＩ（Ｄｉｇｉｔａｌ  Ｖｉｓｕａｌ  Ｉｎｔｅｒｆａｃｅ）ケーブルなどが知られている。
近年では、８Ｋ（例えば、７６８０×４３２０）といった高解像度の映像を表示する映像表示技術の開発が進められ、それに伴い、映像伝送ケーブルを用いて大量の映像信号を送信することが必要になってきた。しかし、１本の映像伝送ケーブルで伝送できるデータ量には、物理的な限界がある。このため、８Ｋ等の大量の映像信号を伝送する手段として、複数本の映像伝送ケーブルを用いて映像信号を伝送することが考えられている。
複数本の映像伝送ケーブルを用いて映像信号を伝送する映像システムの一例が、特許文献１に記載されている。
特許文献１に記載の映像システムは、映像出力機器と、この映像出力機器と複数の映像伝送ケーブルを介して接続される映像表示機器とを有する。映像表示機器は、画像を表示する表示領域を備え、この表示領域が複数の表示エリアに区画されている。映像出力機器は、映像表示機器の表示領域に表示すべき画像を表示エリア毎に分割した複数の部分映像信号を、それぞれ複数の映像伝送ケーブルを介して映像表示機器に供給する。
映像表示機器は、複数の部分映像信号をそれぞれ受信する複数の受信部を有する。各受信部と各表示エリアとは１対１で対応しており、各受信部で受信した部分映像信号は、対応する表示エリアにて表示される。
【０００３】
上記映像システムにおいて、使用者が、映像伝送ケーブルを用いて、映像出力機器の各映像出力端子と映像表示機器の各映像入力端子とを接続する。映像出力機器の出力端子と映像表示機器の入力端子との接続関係が正しくない場合、映像表示機器は各部分映像信号を映像表示機器の表示領域の正しい位置に表示することができない。
上記問題を解決するために、特許文献１に記載の映像システムは、各部分映像信号を映像表示機器の表示領域の正しい位置に表示することができる機能を備えている。具体的には、特許文献１に記載の映像システムにおいて、映像出力機器は、各部分映像信号と共に、該各部分映像信号に対応する制御情報を送信する。制御情報は、各部分映像信号と共に、制御情報を伝送可能な映像伝送ケーブルを介して、映像表示機器に受信される。映像表示機器は、制御情報を用いることで、各部分映像信号を映像表示機器の表示領域の正しい位置に表示できる。
【先行技術文献】
【特許文献】
【０００４】
【特許文献１】特開２０１４−３４３８号公報
【発明の概要】
【発明が解決しようとする課題】
【０００５】
映像表示機器が各部分映像信号を映像表示機器の正しい表示領域に表示するためには、映像出力機器から映像表示機器へ制御信号を伝送する必要がある。ここで、上述したＨＤＭＩケーブルは、ＣＥＣ（Ｃｏｎｓｕｍｅｒ  Ｅｌｅｃｔｒｏｎｉｃｓ  Ｃｏｎｔｒｏｌ）機能を有している。ＣＥＣ機能とは、制御情報の通信を行う機能である。すなわち、ＨＤＭＩケーブルは、制御信号を伝送可能である。
しかし、ＤＶＩケーブルは、ＣＥＣ機能のような制御情報の通信を行う機能を有していない。換言すると、ＤＶＩケーブルは、制御情報の伝送ができない。
したがって、上述した特許文献１に記載の映像システムでは、ＤＶＩケーブルのような制御情報の通信を行う機能を有さない映像伝送ケーブルを用いることができない問題があった。
そこで、本発明の目的は、上述した課題を鑑み、制御情報の通信を行う機能を有さない映像伝送ケーブルを用いた場合でも、分割されて伝送される映像を表示部の正しい位置に表示することができる映像表示機器、映像出力機器、映像システム、映像表示方法、映像信号送信方法及びプログラムを提供することにある。
【課題を解決するための手段】
【０００６】
上記目的を達成するために、本発明の第１の映像表示機器は、複数の表示エリアを有し、各表示エリアに表示された画像を組み合わせることでフレーム画像が形成される表示部と、前記複数の表示エリアに表示される画像を示す複数の部分映像信号をそれぞれ互いに異なるタイミングで受信する複数の映像受信部と、前記複数の部分映像信号の受信の順番と前記複数の表示エリアとを互いに関連付けたテーブル情報が予め格納された記憶部と、前記表示部の表示動作を制御する制御部と、を備え、前記制御部は、前記各映像受信部の前記部分映像信号の受信の順番を検出し、前記テーブル情報を参照し、検出した前記部分映像信号の受信の順番に従って、前記各映像受信部がそれぞれ受信した前記部分映像信号を対応する表示エリアに表示させる。
本発明の第１の映像出力機器は、フレーム画像を示す映像信号を複数の部分映像信号に分割する映像源と、前記映像源から前記複数の部分映像信号がそれぞれ入力され、入力された前記複数の部分映像信号を並列に送信する複数の映像送信部と、前記複数の部分映像信号の送信の順番を示す送信順序情報が記憶された記憶部と、前記記憶部に記憶された前記送信順序情報に基づき、前記複数の映像送信部が前記複数の部分映像信号を送信する順番を制御する制御部と、を備える。
本発明の第１の映像システムは、上記の映像表示機器と、上記の映像出力機器と、前記映像表示機器の各映像受信部と前記映像出力機器の各映像送信部とを互いに接続する複数の映像伝送ケーブルと、を備える。
【０００７】
本発明の第１の映像表示方法は、組み合わせることでフレーム画像を示す、複数の部分映像信号映をそれぞれ互いに異なるタイミングで受信し、前記部分映像信号の受信の順番を検出し、前記複数の部分映像信号の受信の順番と複数の表示エリアとを互いに関連付けたテーブル情報を予め保持し、前記複数の部分映像信号の受信の順番と前記テーブル情報とを参照し、検出した前記部分映像信号の受信の順番に従って、前記部分映像信号を対応する前記表示エリアに表示し、該表示エリアを有する表示部に前記フレーム画像を表示する。
本発明の第１の映像信号送信方法は、フレーム画像を示す映像信号を複数の部分映像信号に分割し、前記部分映像信号の送信の順番を示す送信順序情報を予め保持し、前記送信順序情報を参照し、前記複数の部分映像信号を前記部分映像信号の送信の順番に従って異なるタイミングで並列に送信する。
【０００８】
本発明の第１のプログラムは、コンピュータに、組み合わせることでフレーム画像を示す、複数の部分映像信号をそれぞれ互いに異なるタイミングで受信するステップと、前記部分映像信号の受信の順番を検出するステップと、前記複数の部分映像信号の受信の順番と複数の表示エリアとを互いに関連付けたテーブル情報とを参照するステップと、検出した前記部分映像信号の受信の順番に従って、前記部分映像信号を対応する前記表示エリアに表示するステップと、を実行させる。
本発明の第２のプログラムは、コンピュータに、フレーム画像を示す映像信号を複数の部分映像信号に分割するステップと、前記部分映像信号の送信の順番を示す送信順序情報を参照し、前記複数の部分映像信号を前記部分映像信号の送信の順番に従って異なるタイミングで並列に送信するステップと、を実行させる。
【発明の効果】
【０００９】
本発明によれば、制御情報の通信を行う機能を有さない映像伝送ケーブルを用いた場合でも、分割されて伝送される映像を表示部の正しい位置に表示することができる。
【図面の簡単な説明】
【００１０】
【図１】本発明に係る第１実施形態の映像システムを示すブロック図である。
【図２】図１に示した映像システム内の映像表示機器の表示部の構成を示す図である。
【図３】映像受信部の同期信号の受信波形と受信時刻との関係の一例を示す図である。
【図４】映像出力機器の映像信号送信方法の流れを示す流れ図である。
【図５】映像表示機器の映像表示方法の流れを示す流れ図である。
【図６Ａ】比較例の映像システムを示すブロック図である。
【図６Ｂ】図６Ａに示した表示部の構成を示す図である。
【図６Ｃ】図６Ａに示した表示部に表示される映像の一例を示した図である。
【図７Ａ】映像伝送ケーブルの接続を誤った場合の図６Ａに示した映像システムの状態を模式的に示すブロック図である。
【図７Ｂ】図７Ａに示した表示部に表示される映像の一例を示した図である。
【図８Ａ】図１に示した映像システムにおいて、映像伝送ケーブルの接続が図１と異なる場合の映像システムを示すブロック図である。
【図８Ｂ】図８Ａに示した表示部に表示される映像の一例を示した図である。
【図９】本発明に係る第２実施形態の映像表示機器を示すブロック図である。
【発明を実施するための形態】
【００１１】
以下、本発明の実施形態について図面を参照して説明する。
［第１実施形態］
＜構成＞
図１は、本発明に係る第１実施形態の映像システムを示すブロック図である。図１を参照すると、映像システム１は、映像出力機器２００、映像表示機器３００及び４本の映像伝送ケーブル４０１，４０２，４０３，４０４を備える。映像出力機器２００は、映像源２１０、出力側記憶部２２０、出力側制御部２３０及び４つの映像送信部２４１，２４２，２４３，２４４を備える。他方、映像表示機器３００は、表示部３１０、表示側記憶部３２０、表示側制御部３３０、４つの映像受信部３４１，３４２，３４３，３４４、映像経路設定部３５０、４つの映像一時記憶部３６１，３６２，３６３，３６４、映像記憶部３７０及び映像合成部３８０を備える。なお、出力側制御部２３０及び表示側制御部３３０は、制御部と呼ぶことができ、出力側制御部２３０及び表示側記憶部３２０は、記憶部と呼ぶことができる。
【００１２】
映像システム１は、映像出力機器２００が分割して送信した映像信号に基づいて、映像表示機器３００の表示部３１０に映像を表示するシステムである。ここで、表示部３１０は、図２に示すように、表示領域が４つの表示エリア３１１，３１２，３１３，３１４に区画されている。映像出力機器２００は、表示エリア３１１に表示するための部分映像信号（以下、左上用部分映像信号と呼ぶ。）と、表示エリア３１２に表示するための部分映像信号（以下、右上用部分映像信号と呼ぶ。）と、表示エリア３１３に表示するための部分映像信号（以下、左下用部分映像信号と呼ぶ。）と、表示エリア３１４に表示するための部分映像信号（以下、右下用部分映像信号と呼ぶ。）と、を映像表示機器３００に送信する。これら４つの部分映像信号は、組み合わさることで１の映像を表示する映像信号となる。つまり、表示部３１０では、各表示エリア３１１，３１２，３１３，３１４に表示された画像を組み合わせることでフレーム画像が形成される。
【００１３】
また、これら４つの部分映像信号は、４つの映像送信部２４１，２４２，２４３，２４４のいずれかから送信される。換言すると、映像出力機器２００は、４本の映像伝送ケーブル４０１，４０２，４０３，４０４を介して、４つの部分映像信号を映像表示機器３００に並列に送信する。
また、これら４つの部分映像信号が表示される表示エリア３１１，３１２，３１３，３１４と、映像出力機器２００がこれらの４つの部分映像信号を送信する順番（以下、送信の順番と呼ぶ。）との対応関係が予め定めてある。具体的には、左上用部分映像信号の送信の順番が１で、右上用部分映像信号の送信の順番が２で、左下用部分映像信号の送信の順番が３で、左下用部分映像信号の送信の順番が４である。すなわち、映像出力機器２００は、左上用部分映像信号、右上用部分映像信号、左下用部分映像信号、左下用部分映像信号の順に各部分映像信号を送信する。
【００１４】
再び図１を参照し、各構成部品の構成を説明する。
映像源２１０は、表示部３１０に表示するフレーム画像を示す映像信号を供給する。映像源２１０は、映像信号を、左上用部分映像信号、右上用部分映像信号、左下用部分映像信号及び右下用部分映像信号の４つの部分映像信号に分割する。その後、映像源２１０は、分割した部分映像信号をそれぞれ映像送信部２４１，２４２，２４３，２４４に出力する。より詳細には、映像源２１０は、左上用部分映像信号を映像送信部２４１に出力する。また、映像源２１０は、右上用部分映像信号を映像送信部２４２に出力し、左下用部分映像信号を映像送信部２４３に出力し、右下用部分映像信号を映像送信部２４４に出力する。なお、映像信号（部分映像信号及び合成映像信号を含む。）とは、映像データ、同期信号及びクロック信号を含む信号であっても良い。
映像送信部２４１，２４２，２４３，２４４は、それぞれバッファ（図示省略）を有する。各映像送信部２４１，２４２，２４３，２４４は、映像源２１０からそれぞれ入力された部分映像信号をバッファに一時記憶する。そして、出力側制御部２３０の制御に基づいて、映像送信部２４１，２４２，２４３，２４４は、バッファに一時記憶した各部分映像信号を映像表示機器３００へ並列に送信する。
【００１５】
出力側記憶部２２０には、映像送信部２４１，２４２，２４３，２４４が部分映像信号の送信をする順番を示す送信順序情報が記憶されている。この送信する順番は、上述した映像出力機器２００が部分映像信号を送信する順番と一致する。すなわち、左上用部分映像信号を送信する映像送信部２４１の部分映像信号を送信する順番は１である。また、映像送信部２４２の部分映像信号を送信する順番は２であり、映像送信部２４３の部分映像信号を送信する順番は３であり、映像送信部２４４の部分映像信号を送信する順番は４である。
出力側制御部２３０は、出力側記憶部２２０に記憶された映像送信部２４１，２４２，２４３，２４４が部分映像信号の送信をする順番（送信順序情報）に基づいて、各映像送信部２４１，２４２，２４３，２４４の送信動作を制御する。
【００１６】
映像伝送ケーブル４０１，４０２，４０３，４０４は、映像送信部２４１，２４２，２４３，２４４と映像受信部３４１，３４２，３４３，３４４とをそれぞれ接続している。各映像伝送ケーブル４０１，４０２，４０３，４０４のコネクタ端子の形状は、全て同じ形状をしている。各映像伝送ケーブル４０１，４０２，４０３，４０４は、映像送信部２４１，２４２，２４３，２４４のいずれか１つと、映像受信部３４１，３４２，３４３，３４４のいずれか１つとを接続できる。したがって、４つの映像送信部２４１，２４２，２４３，２４４と、４つの映像受信部３４１，３４２，３４３，３４４との接続の組み合わせは２４通りある。本実施形態では、映像伝送ケーブル４０１，４０２，４０３，４０４は、図１に示すように、映像送信部２４１，２４２，２４３，２４４と、映像受信部３４１，３４２，３４３，３４４とを互いに接続している。すなわち、映像伝送ケーブル４０１は、映像送信部２４１と映像受信部３４１とを接続している。また、映像伝送ケーブル４０２は、映像送信部２４２と映像受信部３４２とを接続し、映像伝送ケーブル４０３は、映像送信部２４３と映像受信部３４３とを接続し、映像伝送ケーブル４０４は、映像送信部２４４と映像受信部３４４とを接続している。
【００１７】
映像受信部３４１，３４２，３４３，３４４は、部分映像信号を受信できる。また、映像受信部３４１，３４２，３４３，３４４は、受信した部分映像信号を映像経路設定部３５０に出力する。
表示側記憶部３２０には、映像受信部３４１，３４２，３４３，３４４が部分映像信号を受信する順番（以下、受信の順番と呼ぶ。）と、表示部３１０の表示エリア３１１，３１２，３１３，３１４の位置情報と、を互いに関連付けたテーブル情報が予め格納されている。このテーブル情報は、上述した映像出力機器２００の各部分映像信号を送信する順番に基づいて定められ、かつ、各部分映像信号が表示部３１０の表示エリア３１１，３１２，３１３，３１４の正しい位置に表示されるように決められている。具体的には、受信の順番が１の部分映像信号と表示エリア３１１の位置情報が対応している。また、受信の順番が２の部分映像信号と表示エリア３１２の位置情報とが、受信の順番が３の部分映像信号と表示エリア３１３の位置情報とが、受信の順番が４の部分映像信号と表示エリア３１４の位置情報とが対応している。
【００１８】
映像経路設定部３５０は、映像受信部３４１，３４２，３４３，３４４から入力された部分映像信号を、表示側制御部３３０の指示に応じて、映像一時記憶部３６１，３６２，３６３，３６４へ出力する。より具体的には、映像経路設定部３５０は、複数の映像受信部３４１，３４２，３４３，３４４にそれぞれ接続された複数の入力部と、複数の映像一時記憶部３６１，３６２，３６３，３６４にそれぞれ接続された複数の出力部と、を備える。各入力部と各出力部とは、信号が伝送可能な状態に互いに繋がれている。換言すると、各入力部と各出力部との間には、信号を伝送する経路が形成されている。この経路は、表示側制御部３３０の指示に応じて、接続する入力部と出力部の組み合わせを変更できる。例えば、映像経路設定部３５０は、スイッチ回路等からなる。
映像一時記憶部３６１，３６２，３６３，３６４は、映像経路設定部３５０又は表示側制御部３３０から入力された部分映像信号を一時記憶する。また、映像一時記憶部３６１，３６２，３６３，３６４は、表示エリア３１１，３１２，３１３，３１４と１対１の対応関係を有している。具体的には、映像一時記憶部３６１は表示エリア３１１と、映像一時記憶部３６２は表示エリア３１２と、映像一時記憶部３６３は表示エリア３１３と、映像一時記憶部３６４は表示エリア３１４と、対応関係にある。また、映像一時記憶部３６１，３６２，３６３，３６４は、一時記憶した部分映像信号を表示側制御部３３０又は映像合成部３８０へ出力する。
【００１９】
映像合成部３８０には、映像一時記憶部３６１，３６２，３６３，３６４が出力した４つの部分映像信号が入力される。映像合成部３８０は、映像一時記憶部３６１，３６２，３６３，３６４と表示エリア３１１，３１２，３１３，３１４との対応関係に基づいて、入力された４つの部分映像信号を合成映像信号に合成する。具体的には、合成映像信号を表示部３１０に表示する場合、映像一時記憶部３６１から入力された部分映像信号が表示エリア３１１に表示され、映像一時記憶部３６２から入力された部分映像信号が表示エリア３１２に表示され、映像一時記憶部３６３から入力された部分映像信号が表示エリア３１３に表示され、映像一時記憶部３６４から入力された部分映像信号が表示エリア３１４に表示されるように、４つの部分映像信号は、合成される。
【００２０】
表示側制御部３３０は、映像受信部３４１，３４２，３４３，３４４が部分映像信号をそれぞれ互いに互いに異なるタイミングで受信すると、映像受信部３４１，３４２，３４３，３４４がそれぞれ部分映像信号を受信する順番を検出する。具体的には、表示側制御部３３０は、部分映像信号に含まれる同期信号の検出をすることで、部分映像信号の受信の順番を決定している。ここで、図３は、各映像受信部３４１，３４２，３４３，３４４の同期信号の受信波形と受信時刻との関係の一例を示す図である。図３では、映像受信部３４１は、時刻ｔ１で同期信号の波形が変化している。同様に、映像受信部３４２は時刻ｔ２で、映像受信部３４３は時刻ｔ３で、映像受信部３４４は時刻ｔ４で、同期信号の波形が変化している。表示側制御部３３０は、これらの同期信号の波形の変化を検出する。そして、表示側制御部３３０は、同期信号の波形の変化の順番を部分映像信号を受信する順番とする。したがって、図３に示した波形では、各映像受信部３４１，３４２，３４３，３４４が部分映像信号を受信する順番は、映像受信部３４１が１番目、映像受信部３４２が２番目、映像受信部３４３が３番目、映像受信部３４４が４番目となる。
なお、本実施形態では、部分映像信号の同期信号として、表示エリア３１１，３１２，３１３，３１４に表示される画像の切り替えを伝えるために送られる信号が用いられる。具体的には、時刻ｔ１から時刻ｔ１’までの間の部分映像信号には、表示エリア３１１に表示される画像を形成する画像データが含まれ、時刻ｔ１’から時刻ｔ１”の部分映像信号には、次に表示エリア３１１に表示される画像を形成する画像データが含まれる。同期信号は、この表示される画像の切り替わりのタイミングを伝えるための信号である。そして、表示側制御部３３０は、部分映像信号を受信した順番を表示側記憶部３２０に記憶する。
【００２１】
また、表示側制御部３３０は、表示側記憶部３２０に記憶された、テーブル情報と部分映像信号の受信の順番を示す情報とに基づいて、映像経路設定部３５０の経路設定動作を制御する。経路設定動作の制御を行うことで、表示側制御部３３０は、表示部３１０の表示動作を制御する。上述したように、受信の順番が１の部分映像信号は、表示エリア３１４の位置情報に対応している。表示側制御部３３０は、表示エリア３１４の位置情報に対応している部分映像信号を映像一時記憶部３６１へ出力するように、映像経路設定部３５０の経路設定動作を制御する。つまり、表示側制御部３３０は、受信の順番が１の部分映像信号が映像一時記憶部３６１へ出力されるように映像経路設定部３５０の経路設定動作を制御する。同様に、表示側制御部３３０は、受信の順番が２の部分映像信号が映像一時記憶部３６２へ出力され、受信の順番が３の部分映像信号が映像一時記憶部３６３へ出力され、受信の順番が４の部分映像信号が映像一時記憶部３６４へ出力されるように、映像経路設定部３５０の経路設定動作を制御する。
【００２２】
さらに、表示側制御部３３０は、映像一時記憶部３６１，３６２，３６３，３６４に一時記憶された４つの部分映像信号を読出し、フレーム画像として映像記憶部３７０に記憶する。４つの部分映像信号が映像記憶部３７０に記憶された後に、表示側制御部３３０は、４つの部分映像信号に対し、各部分映像信号に基づくフレーム画像を表示部３１０の表示領域に適切に表示させるのに必要な映像処理を行う。この映像処理には、色補正や映像信号を画面解像度に適応させるための補正等が含まれる。表示側制御部３３０は、映像処理を行った後に、映像記憶部３７０から４つの部分映像信号を読出し、部分映像信号が映像処理される前に記憶されていた映像一時記憶部３６１，３６２，３６３，３６４に再度記憶させる。
【００２３】
映像記憶部３７０は、表示側制御部３３０の指示に基づき、表示側制御部３３０から供給される部分映像信号を記憶する。また、映像記憶部３７０は、表示側制御部３３０の指示に基づき、部分映像信号を出力する。
表示部３１０は、例えば液晶表示パネルやＤＭＤなどの画像形成素子を備える。表示部３１０は、画像形成素子を用いて、入力された合成映像信号に基づいた映像を形成する。その後、表示部３１０は、形成された映像を表示する。
【００２４】
＜映像信号送信方法＞
図４は、映像出力機器２００の映像信号送信方法の流れを示す流れ図である。まず、図４を参照して、映像出力機器２００の映像信号送信方法について説明する。
映像出力機器２００で映像信号を送信する場合、映像出力機器２００は、以下のように動作する。
まず、Ｓ１０１で、映像源２１０が出力する映像信号を左上用部分映像信号、右上用部分映像信号、左下用部分映像信号及び右下用部分映像信号の４つの部分映像信号に分割する。Ｓ１０２で、映像源２１０は、分割された各部分映像信号をそれぞれ、映像送信部２４１，２４２，２４３，２４４へ出力する。映像送信部２４１，２４２，２４３，２４４に部分映像信号が入力されると、Ｓ１０３で、各映像送信部２４１，２４２，２４３，２４４は、バッファに部分映像信号を一時記憶する。その後、Ｓ１０４で、各映像送信部２４１，２４２，２４３，２４４は、出力側制御部２３０の制御に従い部分映像信号を順番に送信する。
【００２５】
＜映像表示方法＞
図５は、映像表示機器３００の映像表示方法の流れを示す流れ図である。図５を参照して、映像表示機器３００の映像表示方法について説明する。
映像表示機器３００は、映像受信部３４１，３４２，３４３，３４４のいずれかが部分映像信号を受信することをトリガーとして、表示部３１０に映像を表示するための動作を開始する。Ｓ２０１で、表示側制御部３３０が、各映像受信部３４１，３４２，３４３，３４４で受信された部分映像信号の受信の順番を検出し、その受信の順番を表示側記憶部３２０へ記憶する。Ｓ２０２で、表示側制御部３３０が、表示側記憶部３２０に記憶されている受信の順番及びテーブル情報に基づいて、映像経路設定部３５０の経路を制御する。Ｓ２０３で、各映像受信部３４１，３４２，３４３，３４４が、受信した部分映像信号を、映像経路設定部３５０を介して映像一時記憶部３６１，３６２，３６３，３６４に出力する。このとき、映像経路設定部３５０の経路は、表示側制御部３３０の指示で変更されている。したがって、各部分映像信号は、表示部３１０で正しい位置に表示されるように並び替えられて、映像一時記憶部３６１，３６２，３６３，３６４へ伝送される。Ｓ２０４で、映像一時記憶部３６１，３６２，３６３，３６４が、入力された部分映像信号を一時記憶する。Ｓ２０５で、表示側制御部３３０が映像一時記憶部３６１，３６２，３６３，３６４に記憶されている部分映像信号を読出し、映像記憶部３７０に一時記憶する。Ｓ２０６で、表示側制御部３３０が、映像記憶部３７０に一時記憶された部分映像信号に映像処理をする。Ｓ２０７で、表示側制御部３３０が、映像処理がなされた部分映像信号を映像記憶部３７０から読出し、元々記憶されていた映像一時記憶部３６１，３６２，３６３，３６４に再度記憶する。Ｓ２０８で、映像一時記憶部３６１，３６２，３６３，３６４が、再度記憶された部分映像信号を映像合成部３８０へ出力する。Ｓ２０９で、映像合成部３８０が、入力された部分映像信号を合成することでフレーム画像を示す合成映像信号を生成する。Ｓ２１０で、映像合成部３８０が、合成映像信号を表示部３１０へ出力する。Ｓ２１１で、表示部３１０が、合成映像信号に基づいて映像を表示する。
【００２６】
＜効果＞
本実施形態に係る映像システム１の効果について、本発明に係る映像表示位置の調整機能を有さない映像システムと比較して説明する。
まず、比較例である映像表示位置の調整機能を有さない映像システムの構成を簡単に説明する。
図６Ａは、比較例の映像システムを示すブロック図である。図６Ｂは、図６Ａに示した表示部７１０の構成を示す図である。図６Ｃは、図６Ａに示した表示部に表示される映像の一例を示した図である。
図６Ａを参照すると、映像システム５は、映像出力機器６００、映像表示機器７００及び４本の映像伝送ケーブル８０１，８０２，８０３，８０４を備える。映像出力機器６００は、映像源６１０、出力側制御部６３０及び映像送信部６４１，６４２，６４３，６４４を備える。また、映像表示機器７００は、表示部７１０、表示側制御部７２０、映像受信部７４１，７４２，７４３，７４４、映像一時記憶部７６１，７６２，７６３，７６４、映像記憶部７７０及び映像合成部７８０を備える。映像システム５は、映像表示位置の調整機能を有さない。つまり、映像信号が分割されて形成された複数の部分映像信号は、同時に映像出力機器６００から映像表示機器７００へ伝送される。また、映像表示機器７００は、部分映像信号を表示部３１０の表示領域の位置に併せて並び替えない。したがって、映像システム５では、部分映像信号の表示部７１０での表示位置は、部分映像信号を受信した映像受信部７４１，７４２，７４３，７４４に応じて定まる。すなわち、映像受信部７４１で受信した部分映像信号は、表示エリア７１１で表示される（図６Ａ、図６Ｂ参照）。同様にして、映像受信部７４２で受信した部分映像信号は表示エリア７１２に表示され、映像受信部７４３で受信した部分映像信号は表示エリア７１３に表示され、映像受信部７４４で受信した部分映像信号は表示エリア７１４に表示される。
映像伝送ケーブル８０１，８０２，８０３，８０４の接続が正しい場合は、図６Ｃに示すように、正しい映像（星型の映像）が表示部７１０に表示される。
【００２７】
次に映像システム５で映像伝送ケーブル８０１，８０２，８０３，８０４の接続を誤った場合に表示部７１０に表示される映像について説明する。
図７Ａは、映像伝送ケーブル８０１，８０２，８０３，８０４の接続を誤った場合の映像システム５の状態を模式的に示すブロック図である。図７Ｂは、図７Ａに示した表示部に表示される映像の一例を示した図である。
図７Ａの例では、映像伝送ケーブル８０１は、正しい接続先である映像受信部７４１ではなく、映像受信部７４２に接続されている。また、映像伝送ケーブル８０２は、映像受信部７４１に接続されている。映像受信部７４２で受信した部分映像信号が表示エリア７１２に表示されるため、表示エリア７１１に表示されるべき映像は、表示エリア７１２に表示される（図６Ｂ参照）。また、表示エリア７１２に表示されるべき映像は、表示エリア７１１に表示される。これにより、図６Ｃに示した映像を表示したい場合でも、表示部７１０は、図７Ｂに示した映像を表示してしまう。すなわち、映像システム５では、映像伝送ケーブル８０１，８０２，８０３，８０４の接続が誤っている場合、表示部７１０は、各部分映像信号を正しい表示エリア７１１，７１２，７１３，７１４に表示することができない。
以上が、比較例の映像システムの構成と問題点の説明である。
【００２８】
これに対して、本実施形態に係る映像システム１は、映像送信部２４１，２４２，２４３，２４４と映像受信部３４１，３４２，３４３，３４４とをどのような組み合わせで接続した場合でも、各部分映像信号を正しい表示エリア７１１，７１２，７１３，７１４に表示することができる。以下にその理由を説明する。
図８Ａは、本発明に係る映像システム１において、図７に示した映像システム５と同様に映像伝送ケーブル４０１，４０２，４０３，４０４を接続した場合の映像システム１のブロック図である。図８Ｂは、図８Ａに示した表示部に表示される映像の一例を示した図である。
ここで、図８Ａでは、映像送信部２４１と映像受信部３４２とが、映像送信部２４２と映像受信部３４１とが、映像送信部２４３と映像受信部３４３とが、映像送信部２４４と映像受信部３４４とが、それぞれ接続されている。したがって、表示エリア３１１の表示に用いられる部分映像信号は、映像受信部３４２に受信される。この部分映像信号は、映像送信部２４１が送信した部分映像信号であるため、送信の順番が１番目である。つまり、この部分映像信号は、映像出力機器２００が送信する４つの映像信号の中で１番目に映像表示機器３００に受信される。ここで、映像システム１は、上述したように、受信した順番に応じて、その受信した部分映像信号が表示される表示エリア３１１，３１２，３１３，３１４の位置を決定する。したがって、１番目に映像表示機器３００に受信された部分映像信号は、表示エリア３１１の位置に表示される。なお、映像送信部２４１がどの映像受信部３４１，３４２，３４３，３４４と接続されている場合でも、映像送信部２４１が送信する部分映像信号は、１番目に映像表示機器３００に受信される。したがって、映像伝送ケーブル４０１，４０２，４０３，４０４をどのように接続した場合でも、映像送信部２４１が送信する部分映像信号は、表示エリア３１１の位置に表示される。なお、他の部分映像信号も同様に送信の順番に応じて、表示される表示エリア３１２，３１３，３１４の位置が定まるため、他の部分映像信号も正しい表示エリア３１２，３１３，３１４の位置に表示される。すなわち、上述したように映像伝送ケーブル４０１，４０２，４０３，４０４を図１のように接続した場合も、図８Ａのように接続した場合も、表示部３１０は、同一映像である図８に示す映像を表示する。
【００２９】
したがって、映像送信部２４１，２４２，２４３，２４４と映像受信部３４１，３４２，３４３，３４４との接続の組み合わせがどんな場合でも、表示部３１０は、正しい映像を表示できる。
また、映像システム１では、映像伝送ケーブル４０１，４０２，４０３，４０４は、特許文献１に記載された映像システムのように、制御信号を伝送していない。したがって、本実施形態に係る映像システム１、映像出力機器２００及び映像表示機器３００では、制御信号の伝送機能を有さない映像伝送ケーブル（例えばＤＶＩケーブル）を用いた場合でも、表示部３１０に表示位置が正しい映像を表示させることができる。
【００３０】
＜変形例＞
本実施形態では、図２に示すように、表示部３１０は、表示領域を４つに分割した表示エリア３１１，３１２，３１３，３１４を有している。しかし、分割方法は、上下左右の４分割に限られず、自由にしてよい。また、表示領域の分割の数は、４に限られない。
また、表示側制御部３３０は、上述したような同期信号を用いて、部分映像信号の受信の順番を検出した。しかし、同期信号は、受信側に信号の読み出しタイミングを伝えるために送られる信号であればよい。例えば、部分映像信号には、表示する画像の走査線の行の切り替わりを示す同期信号も含まれている。この走査線の行の切り替わりを示す同期信号を用いて、表示側制御部３３０は、部分映像信号の受信の順番を検出してもよい。
また、本実施形態では、映像出力機器２００は、表示エリア３１１に表示される部分映像信号を１番目に送信したが、１番目以外に送信してもよい。ただし、表示エリア３１１に表示される部分映像信号が、表示エリア３１１に表示されるように表示側記憶部３２０に記憶されているテーブル情報を変更しなければならない。
【００３１】
［第２実施形態］
＜構成＞
図９は、本発明に係る第２実施形態の映像表示機器を示すブロック図である。図９を参照すると、映像表示機器９は、表示部９１０、記憶部９２０、制御部９３０及び複数の映像受信部９４１，９４２，９４３，９４４を備える。制御部９３０は、映像経路設定部、映像合成部、映像一時記憶部及び映像記憶部を備えることができる。
表示部９１０は、複数の表示エリアを有する。フレーム画像は、各表示エリアに表示された画像を組み合わせることで形成される。
映像受信部９４１，９４２，９４３，９４４は、複数の表示エリアに表示される画像を示す複数の部分映像信号をそれぞれ互いに異なるタイミングで受信する。
記憶部９２０には、複数の部分映像信号の受信の順番と複数の表示エリアとを互いに関連付けたテーブル情報が予め格納されている。
制御部９３０は、表示部９１０の表示動作を制御する。また、制御部９３０は、各映像受信部９４１，９４２，９４３，９４４の部分映像信号の受信の順番を検出し、テーブル情報を参照し、検出した部分映像信号の受信の順番に従って、各映像受信部９４１，９４２，９４３，９４４がそれぞれ受信した部分映像信号を対応する表示エリアに表示させる。
【００３２】
＜効果＞
映像表示機器９において、映像受信部９４１，９４２，９４３，９４４が複数の表示エリアに表示される画像を示す複数の部分映像信号をそれぞれ互いに異なるタイミングに受信すると、制御部９３０は、部分映像信号の受信の順番を検出する。その後、制御部９３０は、記憶部９２０に格納されたテーブル情報を参照し、受信した部分映像信号を対応する表示エリアに表示させる。
つまり、映像表示機器９は、映像受信部９４１，９４２，９４３，９４４が部分映像信号を受信する順番に応じて、映像受信部９４１，９４２，９４３，９４４が受信した部分映像信号を所定の表示エリアに表示することができる。したがって、あらかじめ、表示エリアと受信の順番の対応関係を定めて、かつ、この対応関係を映像出力機器と合致させておけば、映像表示機器９と映像出力機器との接続ケーブルの接続がどのような場合でも、表示部９１０は、各部分映像信号を正しい表示エリアに表示できる。すなわち、映像表示機器９は、制御情報の通信を行う機能を有さない映像伝送ケーブルを用いた場合でも、分割されて伝送される映像を表示部９１０の正しい位置に表示することができる。
【００３３】
＜変形例＞
また、上述の実施の形態では、本発明をハードウェアの構成として説明したが、本発明は、これに限定されるものではない。本発明は、映像システム内の各構成要素の処理内容を手順として記述したコンピュータプログラム（以下、プログラムと称する）をＣＰＵに実行させることにより実現することも可能である。ここで、ＣＰＵは、プログラムが記録された記録媒体から読み込まれたプログラムを実行するコンピュータとして動作するものである。
このプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）に格納され、コンピュータへ供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Ｃｏｍｐａｃｔ  Ｄｉｓｃ−Ｒｅａｄ  Ｏｎｌｙ  Ｍｅｍｏｒｙ）、ＣＤ−Ｒ、ＣＤ−Ｒ／Ｗ、ＤＶＤ（Ｄｉｇｉｔａｌ  Ｖｅｒｓａｔｉｌｅ  Ｄｉｓｃ）、Ｂｌｕ−ｒａｙ（登録商標）  Ｄｉｓｃ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）がコンピュータに供給するものであっても良い。一時的なコンピュータ可読媒体の例は、電気信号、光信号、および電磁波を含む。一時的なコンピュータ可読媒体は、電線及び光ファイバ等の有線通信路、または無線通信路を介して、プログラムをコンピュータへ供給できる。
【符号の説明】
【００３４】
１：映像システム、２００：映像出力機器、２１０：映像源、２２０：出力側記憶部、２３０：出力側制御部、２４１〜２４４：映像送信部、３００：映像表示機器、３１０：表示部、３１１〜３１４：表示エリア、３２０：表示側記憶部、３３０：表示側制御部、３４１〜３４４：映像受信部、３５０：映像経路設定部、３６１〜３６４：映像一時記憶部、３７０：映像記憶部、３８０：映像合成部、４０１〜４０４：映像伝送ケーブル、５：映像システム、６００：映像出力機器、６１０：映像源、６３０：出力側制御部、６４１：映像送信部、７００：映像表示機器、７１０：表示部、７１１〜７１４：表示エリア、７２０：表示側制御部、７４１〜７４４：映像受信部、７６１〜７６４：映像一時記憶部、７７０：映像記憶部、７８０：映像合成部、８０１〜８０４：映像伝送ケーブル、９：映像表示機器、９１０：表示部、９２０：表示側記憶部、９３０：表示側制御部、９４１〜９４１：映像受信部
【図１】
2019161477.tif 000003
【図２】
2019161477.tif 000004
【図３】
2019161477.tif 000005
【図４】
2019161477.tif 000006
【図５】
2019161477.tif 000007
【図６Ａ】
2019161477.tif 000008
【図６Ｂ】
2019161477.tif 000009
【図６Ｃ】
2019161477.tif 000010
【図７Ａ】
2019161477.tif 000011
【図７Ｂ】
2019161477.tif 000012
【図８Ａ】
2019161477.tif 000013
【図８Ｂ】
2019161477.tif 000014
【図９】
2019161477.tif 000015